(57)【要約】従来のページめくり作業が周囲に不潔感の印象を与えること等の問題点を解消するため、本発明に係るチップ（１）は、指（２）の指腹部（２０）の形にフィットするように、略縦長楕円形に形成されると共に、表面がめくり面（１０）となり、裏面に貼着層としての粘着層（１１）が形成されている。このチップ（１）は、シリコンゴムから作られたもので、指（２）への違和感を与えないようにするために、できるだけ薄く加工することが望ましい。
2004000572.tif 000002
【特許請求の範囲】
【請求項１】
紙面等に指の指腹部を当てて紙類等をめくる場合に使用されるページめくりチップであって、指腹部に貼着可能で、且つ、指腹部を滑り難くさせることを特徴とするページめくりチップ。
【請求項２】
前記ページめくりチップは、指腹部に貼付けられる貼着層を設けたシリコンゴムからなることを特徴とする請求の範囲第１項に記載のページめくりチップ。
【請求項３】
前記ページめくりチップは、略楕円形状であることを特徴とする請求の範囲第１項又は第２項に記載のページめくりチップ。
【請求項４】
前記指腹部の感覚を保持させる、少なくとも１つの切欠部を設けたことを特徴とする請求の範囲第１項乃至第３項の何れかに記載のページめくりチップ。
【請求項５】
前記切欠部は、楕円形、円形、三角形、四角形、多角形又はキャラクター模擬形、又はこれらの組合わせであることを特徴とする請求の範囲第４項に記載のページめくりチップ。
【請求項６】
前記ページめくりチップは、着色されていることを特徴とする請求の範囲第１項乃至第５項の何れかに記載のページめくりチップ。
【請求項７】
請求の範囲第１項乃至第６項に記載された何れかのページめくりチップ又はそれらの組合わせを、前記貼着層を表側又は裏側にしてシート状支持体又はテープ状支持体の一面又は両面に配置したことを特徴とするページめくりチップ集合体。
【請求項８】
前記貼着層を表側にしてシート状支持体又はテープ状支持体の一面又は両面に前記ページめくりチップを配置する場合に、それらの貼着層に補助シートが配置されたことを特徴とする請求の範囲第７項に記載のページめくりチップ集合体。
【発明の詳細な説明】
【技術分野】  本発明は、紙類等薄いシート状のものをめくる際に使用されるページめくりチップに関する。
【背景技術】  新聞、書類、紙幣、チラシ、ビニール等をめくったり、数えたりする時、指の指腹部が紙面上等を滑らないように、指を舐めてその指腹部を唾液で濡らしたり、水を含ませたスポンジ等に指腹部を濡らしていた。
ページめくりの効率を上げる場合には、指サックを装着する場合もあった。
しかし、指を舐めることは衛生面で好ましいことではなく、また周囲から見た目にも不潔感の印象を与えるものであった。
指をスポンジで湿らすことは、頻繁に湿らすなどの手間がかかり、また紙面を汚す恐れがあった。
指サック等を指に装着した場合には、蒸れの要因になり、窮屈感等の違和感が避けられなかった。さらに、指サックを装着したままページめくり以外の作業を行う場合には、指腹部に触感等の感覚が伝わらずに、歯がゆい思いをする場合もあった。
そこで、本発明は上記諸欠点を解消すると共に、長時間のページめくり作業を可能にし、また、指先が乾燥気味の高齢者にとって、簡便なページめくり手段を提供することを目的とする。
【発明の開示】
上記課題を解決するため、紙類等の紙面等に指の指腹部を当ててページめくりをする場合に、指腹部を滑り難くさせ、且つ、指腹部に貼着可能なページめくりチップとした。
このページめくりチップ（以下、単にチップという）の材質は、軽い貼着性或いは摩擦抵抗性のある材質であり、且つ、伸縮性、弾力性があるものが望ましい。
このページめくりチップの作用対象は、紙類に限定されるものではなく、薄い合成樹脂等のシート等でもよい。
前記チップの材質は、例えば裏面に貼着層を設けたシリコンゴムが好ましい。
シリコンゴムは、薄く形成すれば透明感が出て、傍目に分らないようにさりげなく装着することができる。
保湿剤をマイクロカプセル化したものを高分子ゴム、化学繊維不織布或いは紙類等に固定化したものでもよい。
また、炭酸カルシュームや珪石などの添加剤の入った塩化ビニル樹脂を不織布等で固定化したものでもよい。
前記チップの形状の一例として、略楕円形状にしてもよく、この場合指の指腹部の形にフィットさせることができる。
上記課題を解決するため、前記指腹部の感覚を保持させる、少なくとも１つの切欠部を設けてもよい。
前記切欠部は、楕円形、円形、三角形、四角形、多角形又はキャラクター模擬形、又はこれらの組合わせでもよい。
切欠部を介して指の感覚を維持することができ、ページめくり以外の作業の際に、違和感を軽減させることができる。
前記チップは、着色されていてもよく、この場合、上記作用効果にファション性を加えることができる。
上記何れかのチップ又はそれらの組合わせを、前記貼着層を表側又は裏側にしてシート状支持体又はテープ状支持体の一面又は両面に配置して、ページめくりチップ集合体とすることにより、前記チップの販売形態を整えることができる。また、ワンタッチで指腹部に前記チップを貼りつける販売形態とすることができる。
前記貼着層を表側にしてシート状支持体又はテープ状支持体の一面又は両面にページめくりチップ配置する場合に、それらの貼着層に補助シートを配置し、対向するチップの貼着層の接着をさけるようにする。
この補助シートは、シート状支持体又はテープ状支持体に対応したサイズのものでもよいし、各チップ毎に対応させたサイズでもよい。
【図面の簡単な説明】  第１図は、本発明のチップの斜視図、第２図（ａ）〜（ｇ）は切欠部を設けた同チップの正面図、第３図は本発明のチップ集合体の正面図、第４図は同斜視図、第５図は同チップ集合体につき、テープ状支持体を用いた場合の斜視図、第６図はテープ状支持体に用いられるカット刃の斜視図、第７図はテープ状支持体を取付ける芯巻支持装置の斜視図、第８図はテープ状支持体を取付ける芯巻支持装置の斜視図、第９図はテープ状支持体の構成例図である。
【発明を実施するための最良の形態】  以下に、本発明の実施をするための最良の形態について、図面を参照しつつ詳細に説明する。
本発明に係るチップチップ１は、第１図に示した如く、指２の指腹部２０の形にフィットするように、略縦長楕円形に形成されると共に、表面がめくり面１０となり、裏面に貼着層としての粘着層１１が形成されている。
このチップ１は、シリコンゴムから作られたもので、指２への違和感を与えないようにするために、できるだけ薄く加工することが望ましい。
前記チップ１のサイズは、指腹部２０の大きさに略一致しているが、ページめくりの作業性を損なうことがなければ、より小さいサイズでもよい。
また、チップ１の形状は、楕円形に限定されるものではなく、例えば方形等、紙面等に対して摩擦抵抗力を発揮できる形状のものであればよい。
前記粘着層１１は、皮膚に対する刺激性が少なく無毒であると共に、チップ１の摩擦抵抗性能が持続される時間に略一致した粘着性能を維持できるものであればよい。
さらに皮膚に粘着層１１が移動することなく、皮膚のサラサラ感を維持できるものが望ましい。
具体的には、ゴム系またはアクリル系が望ましく、その他ビニル系、シリコンゴム系の粘着剤を用いる。
上記のように構成されたチップ１は、例えば作業手の親指と人差し指のそれぞれの指腹部２０に前記粘着層１１を介して貼り付けて使用する。
なお、前記チップ１に着色することにより、ファッション性を加えることができる。
次に、第２図（ａ）乃至同図（ｇ）に示したように、前記チップ１に切欠部１２ａ〜１２ｆを形成するようにしてもよい。
これらの切欠部１２ａ〜１２ｆは、指先の接触感覚を維持させながら、チップ１の摩擦抵抗性を確保するもので、その形状は第２図（ａ）のように楕円孔にして、その長径部を指腹部２０の上下に位置させるように貼る。
その結果、切欠部１２ａの長径部領域に亘って皮膚の感触を維持することが可能になり、チップ１装着の違和感を最小限に抑えることができる。
また、切欠部１２ａとチップ１との間に形成される凹凸により、摩擦抵抗が高まり、ページめくりを一層、確実なものにする。
上記切欠部は、チップ１の貼着強度を維持でき、且つ、指腹部２０の接触感覚を維持できる範囲であれば、その形状、数、大きさはどのようなものでもよく、第２図（ｃ）の円形１２ｂ、同図（ｄ）のような三角形１２ｃ、同図（ｅ）のような四角形１２ｄ、同図（ｆ）のようなキャラクター形１２ｅ、同図（ｇ）のような組合わせの形にしてもよい。
なお、これらの切欠部は、レーザ加工やパンチ加工、あるいは成型加工で簡単に加工することができる。
次に、チップ集合体の実施形態を説明する。
チップ集合体３は、第３図に示したように前記チップ１、１、１・・・をシート状支持体３０に多数配列保持させたもので、前記チップ１の前記粘着層１１をシート状支持体３０に貼付けて構成されている。
前記シート状支持体３０は、前記チップ１を簡単に剥がせる材質のもの、前記チップ１を簡単に剥がせるように表面を加工したものを使用する。
その他の構成及び効果は、上記実施形態と同様であるので、詳細な説明は省略する。
このようなチップ集合体３では、使用者がチップ１を１枚毎に剥がして指２の指腹部２０に貼りつける。
前記チップ集合体３は、前記粘着層１１をシート状支持体３０の面に配置しているが、前記粘着層１１を表側に配置してもよい。
この場合、前記粘着層１１に用いる粘着剤よりも粘着力の弱い粘着剤により、前記チップ１をシート状支持体３０に配置するようにしてもよい。
また、シート状支持体３０の片面のみではなく、両面に各チップ１を配置してもよい。
シート状支持体３０に対して前記粘着層１１を表側に配置するとともに、シート状支持体３０の両面に前記チップ１を配置した場合には、例えば親指と人差し指で２枚のチップ１を挟むように指腹部２０に貼り付けることができる。
第４図に示したように、シート状支持体を二つ折にしたシート状支持体３１とし、その内側の片面３２又は対向面３２、３２にチップ１を配置させてチップ集合体３を構成してもよい。
この二つ折りのシート状支持体３１をポケットサイズやカードサイズにすることで、携帯性を高めることができる。
この実施形態においても、シート状支持体３１の面に前記めくり面１０を配置し、粘着層１１を表側に配置してもよいが、シート状支持体３１の内側両面３２、３２にチップ１を配置した場合には、補助シート４を介在させることで、チップ１同士の接着を回避させる。
前記補助シート４は、チップ粘着層１１で軽く保持させることができる材質のものを用いる。
その他の構成及び効果は、上記実施形態と同様であるので、詳細な説明は省略する。
第５図に示したようなテープ状支持体３３に前記チップ１を配置したチップ集合体３でもよい。
この場合、テープ状支持体３３のチップ集合体３を芯巻５にして、各チップ１間に、ミシン目３３ａを入れても良いし、第６図のようなカット刃６をその芯巻５に取付けても良く、また第７図のようなカット刃７を備えた携帯用の芯巻支持装置８に取付けても良い。
さらに第８図のような卓上用の芯巻支持装置８にテープ状支持体３３のチップ集合体３を取付けてもよい。
その他の構成及び効果は、上記実施形態と同様であって、例えばテープ状支持体３３の表裏面に前記めくり面１０を配置し、粘着層１１を表側に配置した場合には、第９図に示したように、対向する粘着層１１、１１の接着面間に補助シート９を介在させる。
この構成例によれば、チップ１を貼り付ける指２の指腹部２０で、チップ１を挟むようにして、それらの指腹部２０に貼りつけ、支持体３３から剥がすことで、両指にワンタッチで装着することができる。
また、前記カット刃７を取り付けることで、前記チップ１を１枚毎に、或いはペア単位にカットしながら、取出すことができる。
以上のように、本発明では周囲に不潔感の印象を与えることはない、指をスポンジで湿らすことによる手間を省き、また紙面を汚すことはない、長時間のページめくり作業を可能にし、また、指先が乾燥気味の高齢者にとって、簡便なページめくり手段を提供することができる等の効果を奏する。
また、傍目に分らないようにさりげなく装着することができ、チップの形状が略楕円形状の場合、指の指腹部の形にフィットさせることができる。
また、蒸れの不快感、指の窮屈感等を避けつつ、指腹部に触感等の感覚を伝えることができ、ファション性を加えることができる。
また、前記チップ集合体によりチップの販売形態を整えることができ、また、ワンタッチで指腹部に前記チップを貼りつける販売形態とすることができる。
【図１】
2004000572.tif 000003
【図２】
2004000572.tif 000004
【図３】
2004000572.tif 000005
【図４】
2004000572.tif 000006
【図５】
2004000572.tif 000007
【図６】
2004000572.tif 000008
【図７】
2004000572.tif 000009
【図８】
2004000572.tif 000010
【図９】
2004000572.tif 000011
【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
表面がめくり面となり、裏面に貼着層が形成されているページめくりチップであって、その貼着層を表側又は裏側にしてテープ状支持体の一面又は両面に前記ページめくりチップを配置し、且つ、前記テープ状支持体を芯巻きにしたことを特徴とするページめくりチップ集合体。
【請求項２】
前記ページめくりチップは、シリコンゴムからなることを特徴とする請求の範囲第１項に記載のページめくりチップ集合体。
【請求項３】
前記指腹部の感覚を保持させる、少なくとも１つの切欠部を設けたことを特徴とする請求の範囲第１項又は第２に記載のページめくりチップ集合体。
【請求項４】
前記切欠部は、楕円形、円形、三角形、四角形、多角形又はキャラクター模擬形、又はこれらの組合わせであることを特徴とする請求の範囲第３項に記載のページめくりチップ集合体。
【請求項５】
前記ページめくりチップは、着色されていることを特徴とする請求の範囲第１項乃至第４項の何れかに記載のページめくりチップ集合体。
【請求項６】
前記貼着層を表側にしてテープ状支持体の一面又は両面に前記ページめくりチップを配置する場合に、それらの貼着層に補助シートが配置されたことを特徴とする請求の範囲第１乃至５項の何れかに記載のページめくりチップ集合体。
【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
表面がめくり面となり、裏面に貼着層が形成されているページめくりチップであって、その貼着層を表側又は裏側にしてテープ状支持体の一面又は両面に前記ページめくりチップを配置し、且つ、前記テープ状支持体を芯巻きにしたことを特徴とするページめくりチップ集合体。
【請求項２】
前記ページめくりチップは、シリコンゴムからなることを特徴とする請求項１に記載のページめくりチップ集合体。
【請求項３】
前記指腹部の感覚を保持させる、少なくとも１つの切欠部を設けたことを特徴とする請求項１又は２に記載のページめくりチップ集合体。
【請求項４】
前記切欠部は、楕円形、円形、三角形、四角形、多角形又はキャラクター模擬形、又はこれらの組合わせであることを特徴とする請求項３に記載のページめくりチップ集合体。
【請求項５】
前記ページめくりチップは、着色されていることを特徴とする請求項１乃至請求項４の何れかに記載のページめくりチップ集合体。
【請求項６】
前記貼着層を表側にしてテープ状支持体の一面又は両面に前記ページめくりチップを配置する場合に、それらの貼着層に補助シートが配置されたことを特徴とする請求項１乃至請求項５の何れかに記載のページめくりチップ集合体。
【国際調査報告】
2004000572.tif 000012
2004000572.tif 000013
2004000572.tif 000014
2004000572.tif 000015